(57)【要約】【課題】簡単な梱包作業で空気調和機のケーシングの側稜部を保護することができる梱包材及び梱包方法を提供する。【解決手段】梱包材（１）の被覆部材（３）は、主壁部（Ｗ１）がケーシング（８１）の上面（８２）の少なくとも一部又はケーシング（８１）の下面（８３）の少なくとも一部を覆うとともに側壁部（Ｗ２）がケーシング（８１）の側面（８４）の一部を覆うように構成されている。梱包材（１）の第１係合部材（５１）は、端部が被覆部材（３）の側壁部（Ｗ２）の内側面（Ｓ１）とケーシング（８１）の側面（８４）との間に配置されるとともに第１折返し部（５１Ａ）が第１凹部（Ｒ１）に係止されることによってケーシング（８１）の第１側稜部（９１）を覆った状態で被覆部材（３）に支持されるように構成されている。【選択図】図６
2015196531.tif 000002
【特許請求の範囲】
【請求項１】
上面（８２）、下面（８３）及びこれらに隣接する複数の側面（８４）を有するケーシング（８１）を備えた空気調和機（８０）に用いられる梱包材であって、
上壁部又は底壁部としての主壁部（Ｗ１）と前記主壁部（Ｗ１）に隣接する側壁部（Ｗ２）とを有し、前記側壁部（Ｗ２）の内側面（Ｓ１）に第１凹部（Ｒ１）が設けられた被覆部材（３）と、
端部に第１折返し部（５１Ａ）を有する第１係合部材（５１）と、を備え、
前記被覆部材（３）は、前記主壁部（Ｗ１）が前記ケーシング（８１）の前記上面（８２）の少なくとも一部又は前記ケーシング（８１）の前記下面（８３）の少なくとも一部を覆うとともに前記側壁部（Ｗ２）が前記ケーシング（８１）の前記側面（８４）の一部を覆うように構成され、
前記第１係合部材（５１）は、前記端部が前記被覆部材（３）の前記側壁部（Ｗ２）の前記内側面（Ｓ１）と前記ケーシング（８１）の前記側面（８４）との間に配置されるとともに前記第１折返し部（５１Ａ）が前記第１凹部（Ｒ１）に係止されることによって前記ケーシング（８１）の第１側稜部（９１）を覆った状態で前記被覆部材（３）に支持されるように構成されている梱包材。
【請求項２】
端部に第２折返し部（５２Ａ）を有する第２係合部材（５２）を備え、
前記被覆部材（３）の前記側壁部（Ｗ２）は、前記側壁部（Ｗ２）の前記内側面（Ｓ１）よりも前記側壁部（Ｗ２）の厚み方向の外側に設けられて前記厚み方向に対向する一対の対向面（Ｓ２，Ｓ３）を有し、前記一対の対向面（Ｓ２，Ｓ３）の一方には第２凹部（Ｒ２）が設けられており、
前記第２係合部材（５２）は、前記第２係合部材（５２）の前記端部が前記一対の対向面（Ｓ２，Ｓ３）の間に配置されるとともに前記第２折返し部（５２Ａ）が前記第２凹部（Ｒ２）に係止されることによって前記ケーシング（８１）の第２側稜部（９２）を覆った状態で前記被覆部材（３）に支持されるように構成されている、請求項１に記載の梱包材。
【請求項３】
前記複数の側面（８４）のうちの一側面（８４）には、前記一側面（８４）に対して外側に出っ張るように吹出グリル（８５）が設けられており、
前記第２係合部材（５２）は、前記第２側稜部（９２）を覆うとともに前記吹出グリル（８５）の側縁部（８５Ｅ）を覆うように構成されている、請求項２に記載の梱包材。
【請求項４】
前記第１係合部材（５１）と前記第２係合部材（５２）は同じ大きさを有している、請求項３に記載の梱包材。
【請求項５】
前記第１係合部材（５１）を前記ケーシング（８１）に固定するために前記ケーシング（８１）に巻き付けられる固定部材（６）を備える、請求項１〜４の何れか１項に記載の梱包材。
【請求項６】
上面（８２）、下面（８３）及びこれらに隣接する複数の側面（８４）を有するケーシング（８１）を備えた空気調和機（８０）に用いられる梱包材であって、
上壁部又は底壁部としての主壁部（Ｗ１）と前記主壁部（Ｗ１）に隣接する側壁部（Ｗ２）とを有し、前記側壁部（Ｗ２）の内側面（Ｓ１）よりも前記側壁部（Ｗ２）の厚み方向の外側に設けられて前記厚み方向に対向する一対の対向面（Ｓ２，Ｓ３）を有し、前記一対の対向面（Ｓ２，Ｓ３）の一方に凹部が設けられた被覆部材（３）と、
端部に折返し部を有する係合部材（５）と、を備え、
前記被覆部材（３）は、前記主壁部（Ｗ１）が前記ケーシング（８１）の前記上面（８２）の少なくとも一部又は前記ケーシング（８１）の前記下面（８３）の少なくとも一部を覆うとともに前記側壁部（Ｗ２）が前記ケーシング（８１）の前記側面（８４）の一部を覆うように構成され、
前記係合部材（５）は、前記端部が前記一対の対向面（Ｓ２，Ｓ３）の間に配置されるとともに前記折返し部が前記凹部に係止されることによって前記ケーシング（８１）の側稜部を覆った状態で前記被覆部材（３）に支持されるように構成されている梱包材。
【請求項７】
前記係合部材（５）を前記ケーシング（８１）に固定するために前記ケーシング（８１）に巻き付けられる固定部材（６）を備える、請求項６に記載の梱包材。
【請求項８】
請求項５に記載の梱包材を用いた梱包方法であって、
前記被覆部材（３）の前記主壁部（Ｗ１）が前記ケーシング（８１）の前記上面（８２）の少なくとも一部又は前記ケーシング（８１）の前記下面（８３）の少なくとも一部を覆うとともに前記被覆部材（３）の前記側壁部（Ｗ２）が前記ケーシング（８１）の前記側面（８４）の一部を覆うように前記被覆部材（３）を前記ケーシング（８１）に被せる工程と、
前記第１係合部材（５１）の前記第１折返し部（５１Ａ）を前記第１凹部（Ｒ１）に係止させることによって前記第１係合部材（５１）が前記ケーシング（８１）の第１側稜部（９１）を覆った状態で前記第１係合部材（５１）を前記被覆部材（３）に仮止めする工程と、
前記固定部材（６）を前記ケーシング（８１）に巻き付けることによって前記第１係合部材（５１）を前記ケーシング（８１）に固定する工程と、を備える梱包方法。
【請求項９】
請求項７に記載の梱包材を用いた梱包方法であって、
前記被覆部材（３）の前記主壁部（Ｗ１）が前記ケーシング（８１）の前記上面（８２）の少なくとも一部又は前記ケーシング（８１）の前記下面（８３）の少なくとも一部を覆うとともに前記被覆部材（３）の前記側壁部（Ｗ２）が前記ケーシング（８１）の前記側面（８４）の一部を覆うように前記被覆部材（３）を前記ケーシング（８１）に被せる工程と、
前記係合部材の前記折返し部を前記凹部に係止させることによって前記係合部材が前記ケーシング（８１）の側稜部を覆った状態で前記係合部材を前記被覆部材（３）に仮止めする工程と、
前記固定部材（６）を前記ケーシング（８１）に巻き付けることによって前記係合部材を前記ケーシング（８１）に固定する工程と、を備える梱包方法。
【発明の詳細な説明】
【技術分野】
【０００１】
本発明は、空気調和機に用いられる梱包材及び梱包方法に関する。
【背景技術】
【０００２】
一般に、空気調和機は、ケーシングに傷がつくことなどを防止するために梱包材によって梱包された状態で輸送される。例えば特許文献１には、筐体の側面にフィンアンドチューブ式の熱交換器の表面が露出する室外ユニットにおいて、熱交換器の表面をダンボール板によって覆う技術が開示されている。このダンボール板は、下端が筐体の下枠と熱交換器の表面との間に差し込まれると共に、上端が筐体の上枠と熱交換器の表面との間に差し込まれることによって固定される。
【先行技術文献】
【特許文献】
【０００３】
【特許文献１】特開２００６−１２３９５６号公報
【発明の概要】
【発明が解決しようとする課題】
【０００４】
しかしながら、空気調和機においてダンボール板などの梱包材を差し込む部位が存在しない場合には、特許文献１の技術を採用することができない。また、空気調和機のケーシングの側稜部は輸送時などに物が接触する可能性があるため、保護材で保護することが望ましいが、特許文献１の技術では、ケーシングの側稜部を保護することができない。また、空気調和機の梱包作業は、できるだけ簡単であることが望ましい。
【０００５】
本発明の目的は、簡単な梱包作業で空気調和機のケーシングの側稜部を保護することができる梱包材及び梱包方法を提供することである。
【課題を解決するための手段】
【０００６】
第１の発明は、上面（８２）、下面（８３）及びこれらに隣接する複数の側面（８４）を有するケーシング（８１）を備えた空気調和機（８０）に用いられる梱包材（１）である。前記梱包材（１）は、被覆部材（３）と、第１係合部材（５１）とを備える。前記被覆部材（３）は、上壁部又は底壁部としての主壁部（Ｗ１）と前記主壁部（Ｗ１）に隣接する側壁部（Ｗ２）とを有する。前記被覆部材（３）は、前記側壁部（Ｗ２）の内側面（Ｓ１）に第１凹部（Ｒ１）が設けられている。前記第１係合部材（５１）は、端部に第１折返し部（５１Ａ）を有する。前記被覆部材（３）は、前記主壁部（Ｗ１）が前記ケーシング（８１）の前記上面（８２）の少なくとも一部又は前記ケーシング（８１）の前記下面（８３）の少なくとも一部を覆うとともに前記側壁部（Ｗ２）が前記ケーシング（８１）の前記側面（８４）の一部を覆うように構成されている。前記第１係合部材（５１）は、前記端部が前記被覆部材（３）の前記側壁部（Ｗ２）の前記内側面（Ｓ１）と前記ケーシング（８１）の前記側面（８４）との間に配置されるとともに前記第１折返し部（５１Ａ）が前記第１凹部（Ｒ１）に係止されることによって前記ケーシング（８１）の第１側稜部（９１）を覆った状態で前記被覆部材（３）に支持されるように構成されている。
【０００７】
この構成では、第１係合部材（５１）の端部が被覆部材（３）の内側面（Ｓ１）とケーシング（８１）の側面（８４）との間に配置されるので、内側面（Ｓ１）側とケーシング（８１）の側面（８４）側への被覆部材（３）の移動が制限され、しかも、第１係合部材（５１）の第１折返し部（５１Ａ）が第１凹部（Ｒ１）に係止されるので、被覆部材（３）の内側面（Ｓ１）とケーシング（８１）の側面（８４）との間から第１係合部材（５１）が抜け落ちるのを抑制できる。また、この構成では、第１係合部材（５１）の端部を被覆部材（３）の内側面（Ｓ１）とケーシング（８１）の側面（８４）との間に配置するとともに、第１折返し部（５１Ａ）を被覆部材（３）に設けられた第１凹部（Ｒ１）に係止させるという簡単な梱包作業によって第１係合部材（５１）を被覆部材（３）に支持させ、ケーシング（８１）の第１側稜部（９１）を保護することができる。
【０００８】
前記梱包材（１）は、端部に第２折返し部（５２Ａ）を有する第２係合部材（５２）を備え、前記被覆部材（３）の前記側壁部（Ｗ２）は、前記側壁部（Ｗ２）の前記内側面（Ｓ１）よりも前記側壁部（Ｗ２）の厚み方向の外側に設けられて前記厚み方向に対向する一対の対向面（Ｓ２，Ｓ３）を有し、前記一対の対向面（Ｓ２，Ｓ３）の一方には第２凹部（Ｒ２）が設けられており、前記第２係合部材（５２）は、前記第２係合部材（５２）の前記端部が前記一対の対向面（Ｓ２，Ｓ３）の間に配置されるとともに前記第２折返し部（５２Ａ）が前記第２凹部（Ｒ２）に係止されることによって前記ケーシング（８１）の第２側稜部（９２）を覆った状態で前記被覆部材（３）に支持されるように構成されていてもよい。
【０００９】
この構成では、第２係合部材（５２）の端部を一対の対向面（Ｓ２，Ｓ３）の間に配置するとともに、第２折返し部（５２Ａ）を第２凹部（Ｒ２）に係止するという簡単な梱包作業が行われることによって第２係合部材（５２）を被覆部材（３）に支持させ、ケーシング（８１）の第２側稜部（９２）を保護することができる。
【００１０】
前記梱包材（１）において、前記複数の側面（８４）のうちの一側面（８４）には、前記一側面（８４）に対して外側に出っ張るように吹出グリル（８５）が設けられており、前記第２係合部材（５２）は、前記第２側稜部（９２）を覆うとともに前記吹出グリル（８５）の側縁部（８５Ｅ）を覆うように構成されていてもよい。
【００１１】
第２係合部材（５２）の第２折返し部（５２Ａ）は、側壁部（Ｗ２）の内側面（Ｓ１）よりも前記厚み方向外側に設けられた一対の対向面（Ｓ２，Ｓ３）の間に配置される。すなわち、第２係合部材（５２）は、第１係合部材（５１）に比べてケーシング（８１）の側面（８４）から離れた位置に配置される。したがって、ケーシング（８１）の一側面（８４）に吹出グリル（８５）が設けられており、吹出グリル（８５）が一側面（８４）に対して外側に出っ張っている場合であっても、第２係合部材（５２）が第２側稜部（９２）を覆うとともに吹出グリル（８５）の側縁部（８５Ｅ）を覆うように構成することが可能になる。これにより、第２側稜部（９２）だけでなく吹出グリル（８５）の側縁部（８５Ｅ）も保護することができる。
【００１２】
前記梱包材（１）において、前記第１係合部材（５１）と前記第２係合部材（５２）は同じ大きさを有しているのが好ましい。
【００１３】
この構成では、第１係合部材（５１）と第２係合部材（５２）は同じ大きさを有しているので、複数種類の係合部材を準備する必要がなく、これにより、コスト低減を図ることができる。
【００１４】
前記梱包材（１）は、前記第１係合部材（５１）を前記ケーシング（８１）に固定するために前記ケーシング（８１）に巻き付けられる固定部材（６）を備えていてもよい。
【００１５】
この構成では、例えばフィルム、バンドなどの固定部材（６）をケーシング（８１）に巻き付けるので、第１係合部材（５１）をケーシング（８１）に対して確実に固定することができる。
【００１６】
第２の発明は、上面（８２）、下面（８３）及びこれらに隣接する複数の側面（８４）を有するケーシング（８１）を備えた空気調和機（８０）に用いられる梱包材（１）である。前記梱包材（１）は、被覆部材（３）と、係合部材とを備える。前記被覆部材（３）は、上壁部又は底壁部としての主壁部（Ｗ１）と前記主壁部（Ｗ１）に隣接する側壁部（Ｗ２）とを有する。前記被覆部材（３）は、前記側壁部（Ｗ２）の内側面（Ｓ１）よりも前記側壁部（Ｗ２）の厚み方向の外側に設けられて前記厚み方向に対向する一対の対向面（Ｓ２，Ｓ３）を有する。前記被覆部材（３）では、前記一対の対向面（Ｓ２，Ｓ３）の一方に凹部が設けられている。前記係合部材は、端部に折返し部を有する。前記被覆部材（３）は、前記主壁部（Ｗ１）が前記ケーシング（８１）の前記上面（８２）の少なくとも一部又は前記ケーシング（８１）の前記下面（８３）の少なくとも一部を覆うとともに前記側壁部（Ｗ２）が前記ケーシング（８１）の前記側面（８４）の一部を覆うように構成されている。前記係合部材は、前記端部が前記一対の対向面（Ｓ２，Ｓ３）の間に配置されるとともに前記折返し部が前記凹部に係止されることによって前記ケーシング（８１）の側稜部を覆った状態で前記被覆部材（３）に支持されるように構成されている。
【００１７】
この構成では、係合部材の端部が被覆部材（３）の一対の対向面（Ｓ２，Ｓ３）の間に配置されるので、係合部材における前記厚み方向へ移動が制限され、しかも、係合部材の折返し部が凹部に係止されるので、被覆部材（３）の一対の対向面（Ｓ２，Ｓ３）の間から係合部材が抜け落ちるのを抑制できる。また、この構成では、係合部材の端部を被覆部材（３）の一対の対向面（Ｓ２，Ｓ３）の間に配置し、折返し部を被覆部材（３）に設けられた凹部に係止させるという簡単な梱包作業によって係合部材を被覆部材（３）に支持させ、ケーシング（８１）の側稜部を保護することができる。
【００１８】
前記梱包材（１）は、前記係合部材を前記ケーシング（８１）に固定するために前記ケーシング（８１）に巻き付けられる固定部材（６）を備えていてもよい。
【００１９】
この構成では、例えばフィルム、バンドなどの固定部材（６）をケーシング（８１）に巻き付けるので、係合部材をケーシング（８１）に対して確実に固定することができる。
【００２０】
第３の発明は、第１の発明の梱包材（１）を用いた梱包方法である。前記梱包方法は、前記被覆部材（３）の前記主壁部（Ｗ１）が前記ケーシング（８１）の前記上面（８２）の少なくとも一部又は前記ケーシング（８１）の前記下面（８３）の少なくとも一部を覆うとともに前記被覆部材（３）の前記側壁部（Ｗ２）が前記ケーシング（８１）の前記側面（８４）の一部を覆うように前記被覆部材（３）を前記ケーシング（８１）に被せる工程と、前記第１係合部材（５１）の前記第１折返し部（５１Ａ）を前記第１凹部（Ｒ１）に係止させることによって前記第１係合部材（５１）が前記ケーシング（８１）の第１側稜部（９１）を覆った状態で前記第１係合部材（５１）を前記被覆部材（３）に仮止めする工程と、前記固定部材（６）を前記ケーシング（８１）に巻き付けることによって前記第１係合部材（５１）を前記ケーシング（８１）に固定する工程と、を備える。
【００２１】
この方法では、折返し部を凹部に係止させることによって係合部材を被覆部材（３）に仮止めすることができるので、固定部材（６）をケーシング（８１）に巻き付けるときの作業性が向上する。
【００２２】
第４の発明は、第２の発明の梱包材（１）を用いた梱包方法である。前記梱包方法は、前記被覆部材（３）の前記主壁部（Ｗ１）が前記ケーシング（８１）の前記上面（８２）の少なくとも一部又は前記ケーシング（８１）の前記下面（８３）の少なくとも一部を覆うとともに前記被覆部材（３）の前記側壁部（Ｗ２）が前記ケーシング（８１）の前記側面（８４）の一部を覆うように前記被覆部材（３）を前記ケーシング（８１）に被せる工程と、前記係合部材の前記折返し部を前記凹部に係止させることによって前記係合部材が前記ケーシング（８１）の側稜部を覆った状態で前記係合部材を前記被覆部材（３）に仮止めする工程と、前記固定部材（６）を前記ケーシング（８１）に巻き付けることによって前記係合部材を前記ケーシング（８１）に固定する工程と、を備える。
【００２３】
この方法では、折返し部を凹部に係止させることによって係合部材を被覆部材（３）に仮止めすることができるので、固定部材（６）をケーシング（８１）に巻き付けるときの作業性が向上する。
【発明の効果】
【００２４】
本発明によれば、簡単な梱包作業で空気調和機のケーシングの側稜部を保護することができる。
【図面の簡単な説明】
【００２５】
【図１】本発明の一実施形態に係る梱包材を用いて空気調和機を梱包した状態を示す斜視図である。
【図２】図１の分解立体図である。
【図３】前記梱包材の上部被覆部材を示す底面図である。
【図４】上図及び下図は、上部被覆部材における２つの緩衝部材を示す斜視図である。
【図５】左図及び右図は、上部被覆部材の緩衝部材に第１係合部材を係止する工程を示す斜視図である。
【図６】左図、中央図及び右図は、上部被覆部材と空気調和機との間に第１係合部材を挿入して第１係合部材の第１折返し部を第１凹部に係止する工程を示す断面図である。
【図７】左図及び右図は、上部被覆部材の緩衝部材に第２係合部材を係止する工程を示す斜視図である。
【図８】左図及び右図は、上部被覆部材とトレイとの間に第２係合部材を挿入して第２係合部材の第２折返し部を第２凹部に係止する工程を示す断面図である。
【図９】左図及び右図は、ケーシングに固定部材を巻き付けることによって被覆部材及び係合部材をケーシングに固定した状態を示す正面図である。
【図１０】左図及び右図は、上部被覆部材に係合部材が係止された状態を示す断面図である。
【図１１】底部被覆部材と空気調和機との間に係合部材が係止された状態を示す断面図である。
【発明を実施するための形態】
【００２６】
以下、図面を参照しながら本発明の実施形態に係る梱包材１及び梱包方法について説明する。本実施形態に係る梱包材１は、空気調和機８０を梱包するために用いられるものである。
【００２７】
以下の具体例説明では、空気調和機８０の室外ユニット８０Ａを梱包材１によって梱包する場合を例示しているが、これに限られず、本実施形態の梱包材１は、例えば空気調和機８０の室内ユニットを梱包する用途に用いることもできる。
【００２８】
［室外ユニット］
室外ユニット８０Ａは、前記室内ユニットとともに空気調和機８０を構成する。図１及び図２に示すように、室外ユニット８０Ａはケーシング８１を備える。ケーシング８１は、図略の送風機、熱交換器、圧縮機などを収容する箱体である。ケーシング８１は、上面８２と、下面８３と、これらに隣接する複数の側面８４とを有する。本実施形態では、ケーシング８１は略直方体形状を有し、複数の側面８４は、前側面８４Ａ、後側面８４Ｂ、右側面８４Ｃ及び左側面８５Ｄにより構成されるが、ケーシング８１の形状はこれに限られない。
【００２９】
ケーシング８１は複数の側稜部を有する。各側稜部は、隣接する２つの側面８４が交わる辺であり、上面８２から下面８３まで上下方向に延びている。本実施形態では、複数の側稜部は、前側面８４Ａと右側面８４Ｃとが交わる第１側稜部９１と、前側面８４Ａと左側面８４Ｄとが交わる第２側稜部９２と、後側面８４Ｂと右側面８４Ｃとが交わる第３側稜部９３と、後側面８４Ｂと左側面８４Ｄとが交わる第４側稜部９４とを含む。
【００３０】
ケーシング８１の一側面８４（本実施形態では前側面８４Ａ）には、ケーシング８１の空気吹出口を覆う吹出グリル８５が設けられている。本実施形態では、吹出グリル８５の形状は、正面視で矩形状であるが、これに限られず、例えば、円形状であってもよく、矩形以外の多角形状であってもよい。吹出グリル８５は、前側面８４Ａにおいて、正面視で水平方向の一方（本実施形態では左側）に偏った位置に設けられている。
【００３１】
図２に示すように、吹出グリル８５は、前側面８４Ａから前方に筒状に延出した延出部８５Ａと、延出部８５Ａの先端に取り付けられた網状パネル８５Ｂとを有する。このように吹出グリル８５は、前側面８４Ａに対して外側（前側）に出っ張る形状を有している。吹出グリル８５の縁部（網状パネル８５Ｂの縁部）は、前側面８４Ａよりも前方に位置している。本実施形態では、吹出グリル８４の縁部の一部（図２に示す側縁部８５Ｅ）は、後述する第２係合部材５２によって覆われる。
【００３２】
［梱包材の全体構造］
梱包材１は、室外ユニット８０Ａの運搬時、倉庫内での保管時などにおいて室外ユニット８０Ａのケーシング８１に物が接触したり、衝撃が加わったりした場合に、ケーシング８１及びその内部の部品を保護する機能を有する。梱包材１は、１つ又は複数の被覆部材３と、１つ又は複数の係合部材５（側稜保護材５）とを備える。図１及び図２に示すように、本実施形態では、梱包材１は、２つの被覆部材３と、４つの係合部材５とを備える。２つの被覆部材３は、上部被覆部材３１と、底部被覆部材３２とにより構成されている。
【００３３】
上部被覆部材３１は、ケーシング８１の上面８２とこれに隣接する側面８４の一部とを覆って、上面８２及び側面８４の一部を保護する機能を有する。底部被覆部材３２は、ケーシング８１の下面８３とこれに隣接する側面８４の一部とを覆って、下面８３及び側面８４の一部を保護する機能を有する。４つの係合部材５は、ケーシング８１の４つの側稜部９１〜９４を覆うように配置され、これらの側稜部９１〜９４を保護する機能を有する。各係合部材５は、上部被覆部材３１及び底部被覆部材３２の少なくとも一方に支持される。
【００３４】
以下、上部被覆部材３１、底部被覆部材３２及び係合部材５について具体例を挙げて説明するが、上部被覆部材３１、底部被覆部材３２及び係合部材５は、以下の具体例に限定されるものではない。
【００３５】
［上部被覆部材］
（上壁部、側壁部）
図１及び図３に示すように、上部被覆部材３１は、上壁部Ｗ１（主壁部Ｗ１）と、上壁部Ｗ１に隣接し、上壁部Ｗ１の４つの縁から下方に延びる４つの側壁部Ｗ２とを有する。図１に示すように上部被覆部材３１がケーシング８１の上部に配置された状態で、上壁部Ｗ１は、ケーシング８１の上面８２に対向し、側壁部Ｗ２は、ケーシング８１の側面８４の上部に対向する。
【００３６】
本実施形態では、上部被覆部材３１が複数の部材３１Ａ，３１Ｂ，３１Ｃによって構成されているので、上壁部Ｗ１及び側壁部Ｗ２も複数の部材３１Ａ，３１Ｂ，３１Ｃによって構成されている。具体的には次の通りである。
【００３７】
図２及び図３に示すように、上部被覆部材３１は、トレイ３１Ａと、トレイ３１Ａの内側に配置された１つ又は複数の緩衝部材３１Ｂ，３１Ｃとを備えている。本実施形態では、上部被覆部材３１は、２つの緩衝部材３１Ｂ，３１Ｃ（右側緩衝部材３１Ｂ，左側緩衝部材３１Ｃ）を備えている。トレイ３１Ａは、下部が開口した箱形状を有している。右側緩衝部材３１Ｂは、ケーシング８１の右側上部の２つの角部を覆うように配置され、左側緩衝部材３１Ｃは、ケーシング８１の左側上部の２つの角部を覆うように配置される。本実施形態では、トレイ３１Ａは、例えばダンボール、プラスチックなどの板状部材によって形成されているが、これに限られない。緩衝部材３１Ｂ，３１Ｃは、例えば、発泡スチロールなどの発泡プラスチックによって形成されているが、これに限られない。
【００３８】
トレイ３１Ａは、例えば矩形状の上部Ａ１と、上部Ａ１の４つの縁から下方に延びる４つの側部Ａ２とを有する。図３及び図４に示すように、緩衝部材３１Ｂは、例えば矩形状の上部Ｂ１と、上部Ｂ１の４つの縁のうちの３つの縁から下方に延びる３つの側部Ｂ２とを有する。緩衝部材３１Ｃは、例えば矩形状の上部Ｃ１と、上部Ｃ１の４つの縁のうちの３つの縁から下方に延びる３つの側部Ｃ２とを有する。
【００３９】
トレイ３１Ａの上部Ａ１は、ケーシング８１の上面８２の全体と側面８４の上部を覆う。緩衝部材３１Ｂの上部Ｂ１及び緩衝部材３１Ｃの上部Ｃ１は、ケーシング８１の上面８２の一部を覆う。右側緩衝部材３１Ｂの３つの側部Ｂ２は、ケーシング８１の前側面８４Ａの上部、後側面８４Ｂの上部及び右側面８４Ｃの上部を覆う。左側緩衝部材３１Ｃの３つの側部Ｃ２は、ケーシング８１の前側面８４Ａの上部、後側面８４Ｂの上部及び左側面８４Ｄの上部を覆う。
【００４０】
図３に示すように、上部被覆部材３１の上壁部Ｗ１は、トレイ３１Ａの上部Ａ１と、緩衝部材３１Ｂの上部Ｂ１と、緩衝部材３１Ｃの上部Ｃ１とによって構成されている。また、上部被覆部材３１の側壁部Ｗ２は、トレイ３１Ａの側部Ａ２と、緩衝部材３１Ｂの側部Ｂ２と、緩衝部材３１Ｃの側部Ｃ２とによって構成されている。
【００４１】
（側壁部の内側面）
図３及び図４に示すように、右側緩衝部材３１Ｂの３つの側部Ｂ２は、ケーシング８１の前側面８４Ａの上部、後側面８４Ｂの上部及び右側面８４Ｃの上部に対向する内側面Ｓ１を有する。緩衝部材３１Ｂの内側面Ｓ１とケーシング８１の側面８４との隙間の大きさは、後述する第１係合部材５１の端部を差し込むことができるように設計されている。
【００４２】
左側緩衝部材３１Ｃの３つの側部Ｃ２は、ケーシング８１の前側面８４Ａの上部、後側面８４Ｂの上部及び左側面８４Ｄの上部に対向する内側面Ｓ１を有する。緩衝部材３１Ｃの内側面Ｓ１とケーシング８１の側面８４との隙間の大きさは、後述する第１係合部材５１の端部を差し込むことができるように設計されている。
【００４３】
（側壁部の対向面）
緩衝部材３１Ｃの外側面Ｓ２は、トレイ３１Ａの内側面Ｓ３と対向している。緩衝部材３１Ｃの外側面Ｓ２とトレイ３１Ａの内側面Ｓ３とは、側壁部Ｗ２における一対の対向面Ｓ２，Ｓ３を構成している。これらの対向面Ｓ２，Ｓ３の間の隙間の大きさは、後述する第２係合部材５２の端部を差し込むことができるように設計されている。
【００４４】
（第１凹部）
ケーシング８１の側面８４に対向する緩衝部材３１Ｂの内側面Ｓ１には、１つ又は複数の第１凹部Ｒ１が設けられている。ケーシング８１の側面８４に対向する緩衝部材３１Ｃの内側面Ｓ１には、１つ又は複数の第１凹部Ｒ１が設けられている。図３及び図４に示す具体的実施形態では、緩衝部材３１Ｂの内側面Ｓ１には２つの第１凹部Ｒ１が設けられ、緩衝部材３１Ｃの内側面Ｓ１には１つの第１凹部Ｒ１が設けられているが、第１凹部Ｒ１の個数はこれに限られない。緩衝部材３１Ｂの２つの第１凹部Ｒ１は、ケーシング８１の第１側稜部９１の上部と第３側稜部９３の上部に対応する位置に設けられており、緩衝部材３１Ｃの第１凹部Ｒ１は、ケーシング８１の第４側稜部９４の上部に対応する位置に設けられている。
【００４５】
図３及び図４の上図に示すように、緩衝部材３１Ｂの各第１凹部Ｒ１は、緩衝部材３１Ｂの内側面Ｓ１に沿って水平方向に延びる溝形状を有する。各第１凹部Ｒ１は、内側面Ｓ１に対して外側（ケーシング８１の側面８４とは反対側）に凹んでいる。したがって、各第１凹部Ｒ１は、図６の左図に示すように、天面Ｒａと、底面Ｒｂと、これらの天面Ｒａ及び底面Ｒｂよりも外側に位置する側面Ｒｃとを有する。
【００４６】
本実施形態では、緩衝部材３１Ｂの一方の第１凹部Ｒ１は、緩衝部材３１Ｂにおける前側の側部Ｂ２と右側の側部Ｂ２に沿って連続的に設けられており、緩衝部材３１Ｂを平面視したときに略Ｌ字形状を呈しているが、これに限られない。緩衝部材３１Ｂの一方の第１凹部Ｒ１は、緩衝部材３１Ｂにおける前側の側部Ｂ２と右側の側部Ｂ２の何れか一方のみに設けられていてもよい。
【００４７】
緩衝部材３１Ｂの他方の第１凹部Ｒ１は、緩衝部材３１Ｂにおける後側の側部Ｂ２と右側の側部Ｂ２に沿って連続的に設けられており、緩衝部材３１Ｂを平面視したときに略Ｌ字形状を呈しているが、これに限られない。緩衝部材３１Ｂの他方の第１凹部Ｒ１は、緩衝部材３１Ｂにおける後側の側部Ｂ２と右側の側部Ｂ２の何れか一方のみに設けられていてもよい。
【００４８】
緩衝部材３１Ｃの第１凹部Ｒ１は、緩衝部材３１Ｃにおける後側の側部Ｃ２と左側の側部Ｃ２に沿って連続的に設けられており、緩衝部材３１Ｃを平面視したときに略Ｌ字形状を呈しているが、これに限られない。緩衝部材３１Ｃの第１凹部Ｒ１は、緩衝部材３１Ｃにおける後側の側部Ｃ２と左側の側部Ｃ２の何れか一方のみに設けられていてもよい。
【００４９】
（第２凹部）
トレイ３１Ａの内側面Ｓ３と対向する緩衝部材３１Ｃの外側面Ｓ２には、１つ又は複数の第２凹部Ｒ２が設けられている。図２及び図３に示す具体的実施形態では、緩衝部材３１Ｃの外側面Ｓ２には、単一の第２凹部Ｒ２が設けられているが、第２凹部Ｒ２の個数はこれに限られない。第２凹部Ｒ２は、第２側稜部９２の上部に対応する位置に設けられている。
【００５０】
図２及び図３に示すように、緩衝部材３１Ｃの第２凹部Ｒ２は、緩衝部材３１Ｃの外側面Ｓ２に沿って水平方向に延びる溝形状を有する。第２凹部Ｒ２は、外側面Ｓ２に対して内側（ケーシング８１の側面８４側）に凹んでいる。したがって、第２凹部Ｒ２は、図８の左図に示すように、天面Ｒａと、底面Ｒｂと、これらの天面Ｒａ及び底面Ｒｂよりも内側に位置する側面Ｒｃとを有する。
【００５１】
本実施形態では、緩衝部材３１Ｃの第２凹部Ｒ２は、緩衝部材３１Ｃにおける前側の側部Ｃ２と左側の側部Ｃ２に沿って連続的に設けられており、緩衝部材３１Ｃを平面視したときに略Ｌ字形状を呈しているが、これに限られない。緩衝部材３１Ｃの第２凹部Ｒ２は、緩衝部材３１Ｃにおける前側の側部Ｃ２と左側の側部Ｃ２の何れか一方のみに設けられていてもよい。
【００５２】
［底部被覆部材］
底部被覆部材３２は、第１凹部Ｒ１及び第２凹部Ｒ２が設けられていない以外は上部被覆部材３１と同様の構成を備えている。
【００５３】
具体的に、図１及び図２に示すように、底部被覆部材３２は、下壁部Ｗ１（主壁部Ｗ１）と、下壁部Ｗ１に隣接し、下壁部Ｗ１の４つの縁から上方に延びる４つの側壁部Ｗ２とを有する。
【００５４】
底部被覆部材３２は、トレイ３２Ａと、トレイ３２Ａの内側に配置された２つの緩衝部材３２Ｂ，３２Ｃ（右側緩衝部材３２Ｂ，左側緩衝部材３２Ｃ）を備えている。トレイ３２Ａは、上部が開口した箱形状を有している。右側緩衝部材３２Ｂは、ケーシング８１の右側下部の２つの角部を覆うように配置され、左側緩衝部材３２Ｃは、ケーシング８１の左側下部の２つの角部を覆うように配置される。
【００５５】
トレイ３２Ａは、例えば矩形状の下部Ａ１と、下部Ａ１の４つの縁から上方に延びる４つの側部Ａ２とを有する。緩衝部材３２Ｂは、例えば矩形状の下部Ｂ１と、下部Ｂ１の４つの縁のうちの３つの縁から上方に延びる３つの側部Ｂ２とを有する。緩衝部材３１Ｃは、例えば矩形状の下部Ｃ１と、下部Ｃ１の４つの縁のうちの３つの縁から上方に延びる３つの側部Ｃ２とを有する。
【００５６】
トレイ３２Ａの下部Ａ１は、ケーシング８１の下面８３の全体と側面８４の下部を覆う。緩衝部材３２Ｂの下部Ｂ１及び緩衝部材３２Ｃの下部Ｃ１は、ケーシング８１の下面８３の一部を覆う。右側緩衝部材３２Ｂの３つの側部Ｂ２は、ケーシング８１の前側面８４Ａの下部、後側面８４Ｂの下部及び右側面８４Ｃの下部を覆う。左側緩衝部材３２Ｃの３つの側部Ｃ２は、ケーシング８１の前側面８４Ａの下部、後側面８４Ｂの下部及び左側面８４Ｄの下部を覆う。
【００５７】
底部被覆部材３２の下壁部Ｗ１は、トレイ３２Ａの下部Ａ１と、緩衝部材３２Ｂの下部Ｂ１と、緩衝部材３２Ｃの下部Ｃ１とによって構成されている。また、底部被覆部材３２の側壁部Ｗ２は、トレイ３２Ａの側部Ａ２と、緩衝部材３２Ｂの側部Ｂ２と、緩衝部材３２Ｃの側部Ｃ２とによって構成されている。
【００５８】
右側緩衝部材３２Ｂの３つの側部Ｂ２は、ケーシング８１の前側面８４Ａの下部、後側面８４Ｂの下部及び右側面８４Ｃの下部に対向する内側面Ｓ１を有する。緩衝部材３２Ｂの内側面Ｓ１とケーシング８１の側面８４との隙間の大きさは、後述する第１係合部材５１の端部を差し込むことができるように設計されている。
【００５９】
左側緩衝部材３２Ｃの３つの側部Ｃ２は、ケーシング８１の前側面８４Ａの下部、後側面８４Ｂの下部及び左側面８４Ｄの下部に対向する内側面Ｓ１を有する。緩衝部材３２Ｃの内側面Ｓ１とケーシング８１の側面８４との隙間の大きさは、後述する第１係合部材５１の端部を差し込むことができるように設計されている。
【００６０】
緩衝部材３２Ｃの外側面Ｓ２は、トレイ３２Ａの内側面Ｓ３と対向している。緩衝部材３２Ｃの外側面Ｓ２とトレイ３２Ａの内側面Ｓ３とは、側壁部Ｗ２における一対の対向面Ｓ２，Ｓ３を構成している。これらの対向面Ｓ２，Ｓ３の間の隙間の大きさは、後述する第２係合部材５２の端部を差し込むことができるように設計されている。
【００６１】
［係合部材］
各係合部材５は、その端部に折返し部（第１折返し部５１Ａ又は第２折返し部５２Ｂ）を有し、上部被覆部材３１及び底部被覆部材３２の少なくとも一方に支持される。本実施形態では、各係合部材５は、その上端部に折返し部が設けられており、当該上端部が上部被覆部材３１に支持される。係合部材５は、例えばダンボール、プラスチックなどの板状部材によって形成されているが、これに限られない。
【００６２】
図２に示すように、各係合部材５は、上下方向に延びる細長い形状を有する。本実施形態では、４つの係合部材５は、３つの第１係合部材５１と、１つの第２係合部材５２とを含む。第１係合部材５１は上端部に第１折返し部５１Ａを有し、第２係合部材５２は上端部に第２折返し部５２Ａを有する。
【００６３】
本実施形態では、第１係合部材５１と第２係合部材５２とは、折返し部５１Ａ，５２Ｂの折返し方向が異なっている以外は同じ構造を有し、全体の大きさは互いに同じである。ただし、第１係合部材５１と第２係合部材５２は、互いに異なる大きさであってもよい。
【００６４】
第１係合部材５１は、本体部５１Ｂと、本体部５１Ｂの上縁に接続された第１折返し部５１Ａとを有する。本体部５１Ｂは、上下方向に延びる一枚の板状部材が上下方向に延びる稜線部５１Ｃにおいて折り曲げられた形状を有する。第２係合部材５２は、本体部５２Ｂと、本体部５２Ｂの上縁に接続された第２折返し部５２Ａとを有する。本体部５２Ｂは、上下方向に延びる一枚の板状部材が上下方向に延びる稜線部５２Ｃにおいて折り曲げられた形状を有する。したがって、係合部材５１，５２の本体部５１Ｂ，５２Ｂは、ケーシング８１の側稜部とその両サイドを覆うことができる。
【００６５】
第１係合部材５１の第１折返し部５１Ａは、本体部５１Ｂの上縁において本体部５１Ｂに対して、ケーシング８１の側面８４とは反対側（外側）に折り曲げられて形成された小片部である。第２係合部材５２の第２折返し部５２Ａは、本体部５２Ｂの上縁において本体部５２Ｂに対して、ケーシング８１の側面８４側（内側）に折り曲げられて形成された小片部である。
【００６６】
上述したように本実施形態では、第１係合部材５１と第２係合部材５２は同じ大きさを有しているので、複数種類の係合部材を準備する必要がなく、これにより、コスト低減を図ることができる。すなわち、同じ大きさの部材を準備し、本体部（５１Ｂ又は５２Ｂ）の上縁に相当する部位において折返し部を外側に折り曲げれば第１係合部材５１を形成することができ、本体部（５１Ｂ又は５２Ｂ）の上縁に相当する部位において折返し部を内側に折り曲げれば第２係合部材５２を形成することができる。本体部の上縁に相当する部位には、外側及び内側に折り曲げやすいような処理が予め施されているのが好ましい。このような処理としては、例えば、本体部の上縁に相当する部位に線状の薄肉部を設けたり、破線状の切れ目を設けたりすることが考えられる。
【００６７】
図５及び図６に示すように、第１係合部材５１の上端部（すなわち第１折返し部５１Ａと本体部５１Ｂの上縁近傍の部分）は、上部被覆部材３１の側壁部Ｗ２の内側面Ｓ１とケーシング８１の側面８４との間に配置され、第１折返し部５１Ａは、第１凹部Ｒ１に係止される。これにより、３つの第１係合部材５１は、ケーシング８１の第１側稜部９１、第３側稜部９３及び第４側稜部９４を覆った状態で上部被覆部材３１に支持される。
【００６８】
このように第１係合部材５１の端部が被覆部材３の内側面Ｓ１とケーシング８１の側面８４との間に配置されるので、被覆部材３の内側面Ｓ１側とケーシング８１の側面８４側への移動が制限され、しかも、第１係合部材５１の第１折返し部５１Ａが第１凹部Ｒ１に係止されるので、被覆部材３の内側面Ｓ１とケーシング８１の側面８４との間から第１係合部材５１が抜け落ちるのを抑制できる。
【００６９】
図７及び図８に示すように、第２係合部材５２の上端部（すなわち第２折返し部５２Ａと本体部５２Ｂの上縁近傍の部分）は、上部被覆部材３１の側壁部Ｗ２の一対の対向面Ｓ２，Ｓ３の間に配置され、第２折返し部５２Ａは、第２凹部Ｒ２に係止される。これにより、第２係合部材５２は、ケーシング８１の第２側稜部９２を覆った状態で上部被覆部材３１に支持される。
【００７０】
このように第２係合部材５２の端部が一対の対向面Ｓ２，Ｓ２の間（緩衝部材３１Ｃの外側面Ｓ２とトレイ３１Ａの内側面Ｓ３との間）に配置されるので、対向面Ｓ２側と対向面Ｓ３側への移動が制限され、しかも、第２係合部材５２の第２折返し部５２Ａが第２凹部Ｒ２に係止されるので、一対の対向面Ｓ２，Ｓ３の間から第２係合部材５２が抜け落ちるのを抑制できる。
【００７１】
図１に示すように、第２係合部材５２は、第２側稜部９２を覆うとともに吹出グリル８５の側縁部８５Ｅを覆うように構成されている。第２係合部材５２の第２折返し部５２Ａは、側壁部Ｗ２の内側面Ｓ１よりも厚み方向外側に設けられた一対の対向面Ｓ２，Ｓ３の間に配置される。すなわち、第２係合部材５２は、第１係合部材５１に比べてケーシング８１の側面８４から離れた位置に配置される。したがって、ケーシング８１の前側面８４Ａに吹出グリル８５が設けられており、吹出グリル８５が前側面８４Ａに対して外側に出っ張っている本実施形態においても、第２係合部材５２が第２側稜部９２を覆うとともに吹出グリル８５の側縁部８５Ｅを覆うように構成することが可能になる。
【００７２】
図１に示す実施形態では、第１係合部材５１の下端部は、底部被覆部材３２とケーシング８１の側面８４との間の隙間に挿入され、第２係合部材５２の下端部は、底部被覆部材３２の緩衝部材３２Ｃの外側面Ｓ２とトレイ３２Ａの内側面Ｓ３との間の隙間に挿入されているが、これに限られない。本実施形態では、上述したように各係合部材５の上端部が上部被覆部材３１によって支持されているので、各係合部材５の下端部は、上記隙間に挿入されていなくてもよく、底部被覆部材３２よりも上方に位置していてもよい。
【００７３】
［梱包方法］
次に、梱包材１を用いた梱包方法の一例について説明する。以下の具体例では、梱包方法は、底部被覆部材配置工程と、上部被覆部材配置工程と、係合部材取付工程と、固定部材取付工程とを備え、これらの工程がこの順に行われるが、これに限られない。梱包方法では、これらの工程の一部を省略したり、これらの工程の順序を変更したりすることもできる。例えば、固定部材６を用いない場合には、固定部材取付工程を省略することができる。また、係合部材を被覆部材に係止させた後に、被覆部材を室外ユニットに取り付けることもできる。また、底部被覆部材３２を省略する場合には、底部被覆部材配置工程も省略できる。
【００７４】
（底部被覆部材配置工程）
まず、底部被覆部材３２を準備する。例えば図略のパレットなどの土台の上にトレイ３２Ａを載置し、このトレイ３２Ａの内部に緩衝部材３２Ｂと緩衝部材３２Ｃを図２に示すように配置して底部被覆部材３２を形成する。
【００７５】
（室外ユニット配置工程）
室外ユニット配置工程では、底部被覆部材３２の緩衝部材３２Ｂと緩衝部材３２Ｃの上に室外ユニット８０Ａを載置する。これにより、室外ユニット８０Ａは、底部被覆部材３２の緩衝部材３２Ｂと緩衝部材３２Ｃによって支持される。
【００７６】
（上部被覆部材配置工程）
上部被覆部材配置工程では、まず、上部被覆部材３１を準備する。例えば図３に示すように、トレイ３１Ａの内部に緩衝部材３１Ｂと緩衝部材３１Ｃを配置して上部被覆部材３１を形成する。そして、この上部被覆部材３１を室外ユニット８０Ａの上部に被せる。これにより、上部被覆部材３１の主壁部Ｗ１がケーシング８１の上面８２を覆うとともに上部被覆部材３１の側壁部Ｗ２がケーシング８１の側面８４の上部を覆う。
【００７７】
（係合部材取付工程）
係合部材取付工程では、各係合部材５を上部被覆部材３１に取り付ける。図５及び図６は、係合部材取付工程の一例を示す図である。なお、図５では、わかりやすいように上部被覆部材３１の緩衝部材３１Ｂと第１係合部材５１のみを図示しており、上部被覆部材３１のトレイ３１Ａ及び室外ユニット８０Ａの図示を省略している。
【００７８】
まず、図５の左図及び図６の左図に示すように、上部被覆部材３１の内側面Ｓ１とケーシング８１の側面８４との間の隙間Ｇ１に第１係合部材５１の上端部を挿入するために、第１係合部材５１を隙間Ｇ１の下方から隙間Ｇ１に向けて上方に移動させる。
【００７９】
図６の中央図に示すように、第１係合部材５１の上端部は、隙間Ｇ１に挿入されるときに、第１折返し部５１Ａが本体部５１Ｂ側に近づく方向にさらに折れ曲がるように変形するので、隙間Ｇ１を通過することができる。
【００８０】
そして、図５の右図及び図６の右図に示すように、第１係合部材５１がさらに上方に移動して第１凹部Ｒ１の高さまで到達すると、第１折返し部５１Ａは、その弾性力（反発力）によって本体部５１Ｂから遠ざかる方向に変形して元の形状に戻る。すなわち、第１折返し部５１Ａは、その弾性力（反発力）によって本体部５１Ｂに対して外側（ケーシング８１の側面８４とは反対側）に開く。このとき、第１折返し部５１Ａの下端Ｅは、隙間Ｇ１よりも外側に位置する。これにより、第１折返し部５１Ａの下端Ｅが第１凹部Ｒ１を構成する底面Ｒｂによって係止される。これにより、第１係合部材５１の第１折返し部５１Ａが第１凹部Ｒ１に係合し、第１係合部材５１がケーシング８１の対応する側稜部を覆った状態で第１係合部材５１が被覆部材３に仮止めされる。３つの第１係合部材５１を上記のようにして上部被覆部材３１に取り付ける。
【００８１】
一方、図７の左図及び図８の左図に示すように、上部被覆部材３１の一対の対向面Ｓ２，Ｓ３（緩衝部材３１Ｃの外側面Ｓ２とトレイ３１Ａの内側面Ｓ３）の間の隙間Ｇ２に第２係合部材５２の上端部を挿入するために、第２係合部材５２を隙間Ｇ２の下方から隙間Ｇ２に向けて上方に移動させる。
【００８２】
第２係合部材５２の上端部は、隙間Ｇ２に挿入されるときに、第２折返し部５２Ａが本体部５２Ｂ側に近づく方向にさらに折れ曲がるように変形するので、隙間Ｇ２を通過することができる。
【００８３】
そして、図７の右図及び図８の右図に示すように、第２係合部材５２がさらに上方に移動して第２凹部Ｒ２の高さまで到達すると、第２折返し部５２Ａは、その弾性力（反発力）によって本体部５２Ｂから遠ざかる方向に変形して元の形状に戻る。すなわち、第２折返し部５２Ａは、その弾性力（反発力）によって本体部５２Ｂに対して内側（ケーシング８１の側面８４側）に開く。このとき、第２折返し部５２Ａの下端Ｅは、隙間Ｇ２よりも内側に位置する。これにより、第２折返し部５２Ａの下端Ｅが第２凹部Ｒ２を構成する底面Ｒｂによって係止される。これにより、第２係合部材５２の第２折返し部５２Ａが第２凹部Ｒ２に係合し、第２係合部材５２がケーシング８１の第２側稜部９２を覆った状態で第２係合部材５２が被覆部材３に仮止めされる。この状態では、図１及び図８に示すように、第２係合部材５２の第２折返し部５２Ａは、第２側稜部９２を覆うだけでなく、吹出グリル８５の側縁部８５Ｅも覆っている。
【００８４】
また、図８の右図に示すように、本実施形態では、第２凹部Ｒ２を構成する底面Ｒｂの外側端（図８の右図の一点鎖線Ｌ１で示す位置）は、第２凹部Ｒ２を構成する天面Ｒａの外側端（図８の右図の一点鎖線Ｌ２で示す位置）よりも内側に位置している。これにより、上部被覆部材３１の一対の対向面Ｓ２，Ｓ３の間の隙間Ｇ２を大きくすることができるので、隙間Ｇ２に第２係合部材５２の上端部を挿入しやすくなる。
【００８５】
なお、第１係合部材５１の下端部は、底部被覆部材３２とケーシング８１の側面８４との間の隙間に挿入され、第２係合部材５２の下端部は、底部被覆部材３２の緩衝部材３２Ｃの外側面Ｓ２とトレイ３２Ａの内側面Ｓ３との間の隙間に挿入されてもよいが、これに限られない。上述したように各係合部材５の上端部が上部被覆部材３１によって支持されているので、各係合部材５の下端部は、上記隙間に挿入されていなくてもよく、底部被覆部材３２よりも上方に位置していてもよい。
【００８６】
（固定部材取付工程）
最後に、固定部材６をケーシング８１に巻き付けることによって第１係合部材５１及び第２係合部材５２をケーシング８１に固定する。
【００８７】
図９の左図は、固定部材６としてストレッチフィルム（伸縮可能なフィルム）を用いた場合を示す斜視図であり、図９の右図は、固定部材６として結束バンドを用いた場合を示す斜視図である。
【００８８】
上述した係合部材取付工程において各係合部材５がケーシング８１の側稜部を覆った状態で上部被覆部材３１に仮止めされているので、この固定部材取付工程では、ストレッチフィルム、結束バンドなどの固定部材６を巻き付けやすくなり、その結果、作業工数を低減することができる。
【００８９】
［変形例］
梱包材１は、例えば次のような変形例の係止構造を備えていてもよい。
【００９０】
図１０の左図及び右図は、上部被覆部材に係合部材が係止された状態を示す断面図である。図１０の左図に示す変形例１及び右図に示す変形例２では、上部被覆部材３１は、側壁部Ｗ２の内側面Ｓ１よりも側壁部Ｗ２の厚み方向の外側に設けられて厚み方向に対向する一対の対向面Ｓ２，Ｓ３を有する。
【００９１】
一対の対向面Ｓ２，Ｓ３は何れも、緩衝部材（右側緩衝部材３１Ｂ又は左側緩衝部材３１Ｃ）に設けられている。すなわち、この緩衝部材の側部Ｂ２の下端面Ｓ４には、下端面Ｓ４から上方に凹むようなスリット部（溝部）が設けられており、この溝部を構成する一対の内側面Ｓ２，Ｓ３が前記一対の対向面Ｓ２，Ｓ３を構成している。そして、図１０の左図に示す変形例１では、一対の対向面Ｓ２，Ｓ３のうち外側（ケーシング８１の側面８４とは反対側）に位置する対向面Ｓ３に凹部Ｒが設けられており、この凹部Ｒに係合部材５の折返し部５１Ａ（５２Ａ）が係止される。また、図１０の右図に示す変形例２では、一対の対向面Ｓ２，Ｓ３のうち内側（ケーシング８１の側面８４側）に位置する対向面Ｓ２に凹部Ｒが設けられており、この凹部Ｒに係合部材５の折返し部５１Ａ（５２Ａ）が係止される。
【００９２】
図１１は、底部被覆部材３２と室外ユニット８０Ａのケーシング８１との間に第１係合部材５１が係止された状態を示す断面図である。図１１に示す変形例３では、底部被覆部材３２に設けられた第１凹部Ｒ１に第１係合部材５１の下端部に設けられた第１折返し部５１Ａが係合される。すなわち、第１折返し部５１Ａの上端Ｅは、第１凹部Ｒ１において、隙間Ｇ１よりも外側（ケーシング８１の側面８４とは反対側）に位置するので、第１折返し部５１Ａの上端Ｅが第１凹部Ｒ１を構成する天面Ｒａによって係止される。これにより、係合部材５１は、底部被覆部材３２に支持される。
【００９３】
［実施形態のまとめ］
本実施形態では、第１係合部材５１の端部が被覆部材３の内側面Ｓ１とケーシング８１の側面８４との間に配置されるので、内側面Ｓ１側とケーシング８１の側面８４側への被覆部材３の移動が制限され、しかも、第１係合部材５１の第１折返し部５１Ａが第１凹部Ｒ１に係止されるので、被覆部材３の内側面Ｓ１とケーシング８１の側面８４との間から第１係合部材５１が抜け落ちるのを抑制できる。また、本実施形態では、第１係合部材５１の端部を被覆部材３の内側面Ｓ１とケーシング８１の側面８４との間に配置するとともに、第１折返し部５１Ａを被覆部材３に設けられた第１凹部Ｒ１に係止させるという簡単な梱包作業によって第１係合部材５１を被覆部材３に支持させ、ケーシング８１の第１側稜部９１を保護することができる。
【００９４】
また、本実施形態では、梱包材１は、端部に第２折返し部５２Ａを有する第２係合部材５２を備え、被覆部材３の側壁部Ｗ２は、側壁部Ｗ２の内側面Ｓ１よりも側壁部Ｗ２の厚み方向の外側に設けられて厚み方向に対向する一対の対向面Ｓ２，Ｓ３を有し、一対の対向面Ｓ２，Ｓ３の一方には第２凹部Ｒ２が設けられており、第２係合部材５２は、第２係合部材５２の端部が一対の対向面Ｓ２，Ｓ３の間に配置されるとともに第２折返し部５２Ａが第２凹部Ｒ２に係止されることによってケーシング８１の第２側稜部９２を覆った状態で被覆部材３に支持されるように構成されている。
【００９５】
したがって、第２係合部材５２の端部を一対の対向面Ｓ２，Ｓ３の間に配置するとともに、第２折返し部５２Ａを第２凹部Ｒ２に係止するという簡単な梱包作業が行われることによって第２係合部材５２を被覆部材３に支持させ、ケーシング８１の第２側稜部９２を保護することができる。
【００９６】
また、梱包材１において、複数の側面８４のうちの一側面８４には、一側面８４に対して外側に出っ張るように吹出グリル８５が設けられており、第２係合部材５２は、第２側稜部９２を覆うとともに吹出グリル８５の側縁部８５Ｅを覆うように構成されている。第２係合部材５２の第２折返し部５２Ａは、側壁部Ｗ２の内側面Ｓ１よりも厚み方向外側に設けられた一対の対向面Ｓ２，Ｓ３の間に配置される。すなわち、第２係合部材５２は、第１係合部材５１に比べてケーシング８１の側面８４から離れた位置に配置される。したがって、ケーシング８１の一側面８４に吹出グリル８５が設けられており、吹出グリル８５が一側面８４に対して外側に出っ張っている場合であっても、第２係合部材５２が第２側稜部９２を覆うとともに吹出グリル８５の側縁部８５Ｅを覆うように構成することが可能になる。これにより、第２側稜部９２だけでなく吹出グリル８５の側縁部８５Ｅも保護することができる。
【００９７】
また、梱包材１において、第１係合部材５１と第２係合部材５２は同じ大きさを有しているのが好ましい。この構成では、第１係合部材５１と第２係合部材５２は同じ大きさを有しているので、複数種類の係合部材を準備する必要がなく、これにより、コスト低減を図ることができる。
【００９８】
また、本実施形態では、例えばフィルム、バンドなどの固定部材６をケーシング８１に巻き付けるので、第１係合部材５１をケーシング８１に対して確実に固定することができる。
【００９９】
［その他の変形例］
以上、本発明の実施形態について説明したが、本発明はこれらの実施形態に限定されるものではなく、その趣旨を逸脱しない範囲で種々変更、改良等が可能である。
【０１００】
例えば、図１０に示す変形例１，２では、トレイ３１Ａを省略することもできる。
【０１０１】
また、前記実施形態では、底部被覆部材３２を省略することもできる。また、変形例３では、上部被覆部材３１を省略することもできる。
【０１０２】
また、前記実施形態において、第１係合部材５１のみを用いる場合には、トレイ３１Ａを省略することもできる。
【０１０３】
また、被覆部材３は、単一の緩衝部材のみを備えていてもよく、３つ以上の緩衝部材を備えていてもよい。
【符号の説明】
【０１０４】
１  梱包材
３  被覆部材
３１  上部被覆部材
３１Ａ  トレイ
３１Ｂ  緩衝部材
３１Ｃ  緩衝部材
３２  底部被覆部材
３２Ａ  トレイ
３２Ｂ  緩衝部材
３２Ｃ  緩衝部材
５  係合部材
５１  第１係合部材
５１Ａ  第１折返し部
５２  第２係合部材
５２Ａ  第２折返し部
６  固定部材
８０  空気調和機
８０Ａ  室外ユニット
８１  ケーシング
８２  ケーシングの上面
８３  ケーシングの下面
８４  ケーシングの側面
８５  吹出グリル
９１  ケーシングの第１側稜部
９２  ケーシングの第２側稜部
９３  ケーシングの第３側稜部
９４  ケーシングの第４側稜部
Ｒ１  第１凹部
Ｒ２  第２凹部
Ｓ１  側壁部の内側面（緩衝部材の内側面）
Ｓ２，Ｓ３  側壁部における一対の対向面（緩衝部材の外側面とトレイの内側面）
Ｗ１  主壁部（上壁部，底壁部）
Ｗ２  側壁部
【図１】
2015196531.tif 000003
【図２】
2015196531.tif 000004
【図３】
2015196531.tif 000005
【図４】
2015196531.tif 000006
【図５】
2015196531.tif 000007
【図６】
2015196531.tif 000008
【図７】
2015196531.tif 000009
【図８】
2015196531.tif 000010
【図９】
2015196531.tif 000011
【図１０】
2015196531.tif 000012
【図１１】
2015196531.tif 000013